(57)【要約】【課題】旋回スクロール部材の旋回駆動部を少ない封入潤滑油量で効率よく潤滑し、耐久性、信頼性を高めることができるとともに、加工を容易化し生産性の高いスクロール圧縮機を提供することを目的とする。【解決手段】ハウジング３内に配設されたスクロール圧縮機構２３と、ハウジング３内に回転自在に支持され、その軸端のクランクピン１１Ｃが旋回スクロール部材２７の端板背面のボス部２７Ｃにドライブブッシュ１９、旋回軸受２１を介して結合されているクランク軸１１とを備え、ハウジング３内に吸入されたミスト状潤滑油を含む冷媒ガスをボス部２７Ｃ内に導くことにより旋回スクロール部材２７の旋回駆動部回りを潤滑するスクロール圧縮機１において、ドライブブッシュ１９の外周面に、その軸方向に沿ってボス部２７Ｃ内にミスト状潤滑油を含む冷媒ガスを導く給油用の溝５９を設けた。【選択図】図１
2010007566.tif 000002
【特許請求の範囲】
【請求項１】
ハウジング内に配設され、互いに噛み合わされて圧縮室を形成する一対の固定スクロール部材および旋回スクロール部材からなる圧縮機構と、
前記ハウジング内に回転自在に支持され、その軸端に設けられたクランクピンが前記旋回スクロール部材の端板背面のボス部にドライブブッシュ、旋回軸受を介して結合されることにより該旋回スクロール部材を公転旋回駆動するクランク軸とを備え、
前記ハウジング内に吸入されたミスト状潤滑油を含む冷媒ガスが前記旋回軸受の軸受隙間を介して前記ボス部内に導かれることにより前記旋回スクロール部材の旋回駆動部回りを潤滑するスクロール圧縮機において、
前記ドライブブッシュの外周面に、その軸方向に沿って前記ボス部内にミスト状潤滑油を含む冷媒ガスを導く給油用の溝を設けたことを特徴とするスクロール圧縮機。
【請求項２】
前記溝は、前記ドライブブッシュ外周面の回転方向に対向する側に設けられていることを特徴とする請求項１に記載のスクロール圧縮機。
【請求項３】
前記旋回軸受は、ニードル軸受とされ、該ニードル軸受と前記ドライブブッシュ外周面との間にフローティングブッシュが介装されていることを特徴とする請求項１または２に記載のスクロール圧縮機。
【請求項４】
前記溝は、前記フローティングブッシュの端面よりも軸方向に延長されて設けられていることを特徴とする請求項３に記載のスクロール圧縮機。
【請求項５】
前記溝は、前記ドライブブッシュの素材成形時に同時成形により設けられていることを特徴とする請求項１ないし４のいずれかに記載のスクロール圧縮機。
【請求項６】
前記ドライブブッシュには、バランスウェイトが一体に設けられ、該バランスウェイトの外周部に弧状に成形された立ち上げ部の内周面に対向して前記溝が設けられていることを特徴とする請求項１ないし５のいずれかに記載のスクロール圧縮機。
【発明の詳細な説明】
【技術分野】
【０００１】
本発明は、圧縮機構およびその駆動部を冷媒ガス中に溶解されているミスト状の潤滑油により潤滑するようにしたスクロール圧縮機に関するものである。
【背景技術】
【０００２】
車両用空調装置や輸送用冷凍装置等では、冷媒ガスに潤滑油を溶解させ、冷媒に伴われて冷凍サイクル中を循環されるミスト状の潤滑油により圧縮機の所要摺動箇所を潤滑するようにした圧縮機が用いられている。このような冷凍、空調装置に用いられるスクロール圧縮機において、旋回スクロール部材を旋回駆動するクランク軸の軸端に設けられているクランクピンは、一般に旋回スクロール部材の端板背面に設けられているボス部にドライブブッシュ、旋回軸受を介して結合される構成とされている。
【０００３】
冷媒ガス中に溶解されたミスト状の潤滑油により潤滑する方式の圧縮機の場合、積極的な給油機構（ポンプ機構）を持っていないのが通常である。このため、上記スクロール圧縮機のように、袋小路状のボス部内にクランクピン、ドライブブッシュ、旋回軸受等の旋回駆動部が設けられた構成のものでは、旋回軸受の軸受隙間を介して冷媒ガスが循環されるのみで冷媒ガスが回り難く、自ずとミスト状潤滑油も給油され難いことから、厳しい条件下の場合、クランクピン、ドライブブッシュ、旋回軸受等により構成されている旋回スクロール部材の旋回駆動部が給油不足から潤滑不良に陥るリスクがあった。
【０００４】
そこで、特許文献１に示されるように、ドライブブッシュに軸方向の貫通孔を設け、該貫通孔を介してボス部内に積極的にミスト状潤滑油を含む冷媒ガスを循環させることによって、ボス部内に設けられている旋回スクロール部材の旋回駆動部に対しての潤滑性能を高め、厳しい条件下でも潤滑不良が惹起されないようにしたものが提案されている。
【０００５】
【特許文献１】特開平８−４９６８１号公報
【発明の開示】
【発明が解決しようとする課題】
【０００６】
しかしながら、上記特許文献１に示されるように、ドライブブッシュに軸方向の貫通孔を設けた構成では、軸方向に厚い寸法を有するドライブブッシュに対して径の小さい貫通孔を穿設しなければならない。このような貫通孔の加工は、工具が破損し易い等、工作上好ましくなく、生産性の低下を招くという問題がある。従って、仮に潤滑性能が向上できるにしても、実用化するには上記の如く難点があり、改善が必要であった。
【０００７】
本発明は、このような事情に鑑みてなされたものであって、旋回スクロール部材の旋回駆動部を少ない封入潤滑油量で効率よく潤滑し、耐久性、信頼性を高めることができるとともに、加工を容易化し生産性の高いスクロール圧縮機を提供することを目的とする。
【課題を解決するための手段】
【０００８】
上記課題を解決するために、本発明のスクロール圧縮機は、以下の手段を採用する。
すなわち、本発明にかかるスクロール圧縮機は、ハウジング内に配設され、互いに噛み合わされて圧縮室を形成する一対の固定スクロール部材および旋回スクロール部材からなる圧縮機構と、前記ハウジング内に回転自在に支持され、その軸端に設けられたクランクピンが前記旋回スクロール部材の端板背面のボス部にドライブブッシュ、旋回軸受を介して結合されることにより該旋回スクロール部材を公転旋回駆動するクランク軸とを備え、前記ハウジング内に吸入されたミスト状潤滑油を含む冷媒ガスが前記旋回軸受の軸受隙間を介して前記ボス部内に導かれることにより前記旋回スクロール部材の旋回駆動部回りを潤滑するスクロール圧縮機において、前記ドライブブッシュの外周面に、その軸方向に沿って前記ボス部内にミスト状潤滑油を含む冷媒ガスを導く給油用の溝を設けたことを特徴とする。
【０００９】
本発明によれば、旋回スクロール部材の旋回駆動部を構成するドライブブッシュ、旋回軸受を介してクランクピンが結合されるボス部内に、旋回軸受の軸受隙間以外にドライブブッシュの外周面に設けられた給油用の溝を介してミスト状潤滑油を含む冷媒ガスを導入することができる。これにより、ボス部内へとガイドされるミスト状潤滑油の油量を増やし、より積極的な給油を実現することができる。従って、潤滑油の封入量を少なくしても効率のよい潤滑ができ、その信頼性、耐久性を向上することができるとともに、冷凍サイクル側の熱交換器での熱交換効率を改善し、冷凍、空調能力を向上することができる。また、ドライブブッシュの外周面に溝を設けるだけでよく、その加工を容易化し生産性を高めることができる。
【００１０】
また、本発明のスクロール圧縮機は、上記のスクロール圧縮機において、前記溝は、前記ドライブブッシュ外周面の回転方向に対向する側に設けられていることを特徴とする。
【００１１】
本発明によれば、溝がドライブブッシュ外周面の回転方向に対向する側に設けられているため、回転方向に対向して設けられている溝を介して冷媒ガスと共にミスト状潤滑油を積極的に取り込み、ボス部内へとガイドされるミスト状潤滑油の油量を更に増加することができる。従って、旋回スクロール部材の旋回駆動部の潤滑性能を高め、その信頼性、耐久性を向上することができる。
【００１２】
さらに、本発明のスクロール圧縮機は、上述のいずれかのスクロール圧縮機において、前記旋回軸受は、ニードル軸受とされ、該ニードル軸受と前記ドライブブッシュ外周面との間にフローティングブッシュが介装されていることを特徴とする。
【００１３】
旋回軸受がニードル軸受とされた場合、その内周に嵌合されるドライブブッシュの外周面に軸方向の溝を設けると、溝がニードルと干渉し、その寿命、耐久性に悪影響を及ぼすことが懸念される。本発明によれば、ニードル軸受とドライブブッシュ外周面との間にフローティングブッシュが介装されているため、溝とニードルとの干渉が回避され、溝によりニードル軸受の寿命、耐久性が低下される懸念はなくなり、ドライブブッシュの外周面に溝を設けることによりボス部内へとミスト状潤滑油を導くことができる。従って、溝を介して積極的に給油し、旋回スクロール部材の旋回駆動部の潤滑性能を改善することができる。同時に、ドライブブッシュとフローティングブッシュとの間への給油性を十分に確保することができる。
【００１４】
さらに、本発明のスクロール圧縮機は、上記のスクロール圧縮機において、前記溝は、前記フローティングブッシュの端面よりも軸方向に延長されて設けられていることを特徴とする。
【００１５】
本発明によれば、溝がフローティングブッシュの端面よりも軸方向に延長されて設けられているため、溝がフローティングブッシュによって覆われてしまうことがなく、該溝により確実にミスト状潤滑油をボス部内へとガイドすることができる。従って、旋回スクロール部材の旋回駆動部の潤滑性能を高め、その信頼性、耐久性を向上することができる。
【００１６】
さらに、本発明のスクロール圧縮機は、上述のいずれかのスクロール圧縮機において、前記溝は、前記ドライブブッシュの素材成形時に同時成形により設けられていることを特徴とする。
【００１７】
本発明によれば、溝がドライブブッシュの素材成形時、例えば鍛造成形あるいは鋳造成形時に同時成形により設けられているため、溝を設けるための追加加工を不要にすることができる。従って、ドライブブッシュに給油用の溝を設けても、加工工数が増加することは一切なく、孔を穿設する場合等に比べて加工を容易化し生産性を高めることができる。
【００１８】
さらに、本発明のスクロール圧縮機は、上述のいずれかのスクロール圧縮機において、前記ドライブブッシュには、バランスウェイトが一体に設けられ、該バランスウェイトの外周部に弧状に成形された立ち上げ部の内周面に対向して前記溝が設けられていることを特徴とする。
【００１９】
本発明によれば、ドライブブッシュに一体に設けられたバランスウェイトの外周部に弧状に成形された立ち上げ部の内周面に対向して給油用の溝が設けられているため、バランスウェイトの旋回により弧状の立ち上げ部の内周面に衝突してドライブブッシュの外周面側に導かれるミスト状潤滑油を含む冷媒ガスを積極的に溝内に取り込むことができる。従って、ボス部内へとガイドされるミスト状潤滑油の量を増やし、旋回スクロール部材の旋回駆動部の潤滑性能を高めることができる。
【発明の効果】
【００２０】
本発明によると、旋回スクロール部材の端板背面のボス部内にガイドされるミスト状潤滑油の油量を増やし、より積極的な給油を実現することができるため、潤滑油の封入量を少なくしても効率のよい潤滑ができ、その信頼性、耐久性を向上することができるとともに、冷凍サイクル側の熱交換器での熱交換効率を改善し、冷凍、空調能力を向上することができる。また、ドライブブッシュの外周面に溝を設けるだけでよく、その加工を容易化し生産性を高めることができる。
【発明を実施するための最良の形態】
【００２１】
以下に、本発明にかかる実施形態について、図面を参照して説明する。
［第１実施形態］
以下、本発明の第１実施形態について、図１ないし図４を用いて説明する。
図１には、本発明の第１実施形態に係るスクロール圧縮機１の縦断面図が示され、図２には、その旋回駆動部の断面図が示されている。スクロール圧縮機１は、その概略外形を構成するハウジング３を有している。ハウジング３は、フロントハウジング５とリアハウジング７とをボルト９により一体的に締め付け固定することによって構成されている。
【００２２】
フロントハウジング５およびリアハウジング７には、各々円周上の複数箇所、例えば４箇所に等間隔で締め付け用のフランジ５Ａ，７Ａが一体に形成されている。このフランジ５Ａ，７Ａ同士をボルト９で締め付けることにより、フロントハウジング５とリアハウジング７とが一体に結合されている。フロントハウジング５の内部には、クランク軸（駆動軸）１１が、メイン軸受１３およびサブ軸受１５を介して軸線Ｌ回りに回転自在に支持されている。
【００２３】
クランク軸１１の一端側（図において左側）は小径軸部１１Ａとされ、この小径軸部１１Ａは、フロントハウジング５を貫通して外部（図１の左側）に突出されている。小径軸部１１Ａの外部への突出部には、公知の如く、動力を受ける図示省略の電磁クラッチ、プーリー等が設けられ、図示省略されたエンジン等の駆動源からＶベルト等を介して動力が伝達されるようになっている。メイン軸受１３とサブ軸受１５との間には、リップシール（またはメカニカルシール）１７が設置され、ハウジング３内と大気との間を気密にシールしている。
【００２４】
クランク軸１１の他端側（図において右側）には、大径軸部１１Ｂが設けられ、この大径軸部１１Ｂには、クランク軸１１の軸線Ｌより所定寸法だけ偏心した状態でクランクピン１１Ｃが一体に設けられている。クランク軸１１は、大径軸部１１Ｂと小径軸部１１Ａがメイン軸受１３と軸受１５で支持されることにより、フロントハウジング５に回転自在に設けられている。
【００２５】
クランクピン１１Ｃには、ドライブブッシュ１９および旋回軸受（ニードル軸受）２１を介して後述する旋回スクロール部材２７が結合され、クランク軸１１が回転されることにより、旋回スクロール部材２７が旋回駆動される構成とされている。ドライブブッシュ１９には、旋回スクロール部材２７が旋回駆動することにより発生するアンバランス荷重を除去するためのバランスウェイト１９Ａが一体に成形され、旋回スクロール部材２７の旋回駆動と共に旋回されるようになっている。
【００２６】
ハウジング３の内部には、スクロール圧縮機構（圧縮機構）２３を構成する一対の固定スクロール部材２５と旋回スクロール部材２７が組み込まれている。固定スクロール部材２５は、端板２５Ａと該端板２５Ａから立設された渦巻き状ラップ２５Ｂとから構成されており、一方、旋回スクロール部材２７は、端板２７Ａと該端板２７Ａから立設された渦巻き状ラップ２７Ｂとから構成されている。
【００２７】
本実施形態の固定スクロール部材２５および旋回スクロール部材２７は、それぞれ渦巻き状ラップ２５Ｂ，２７Ｂの先端面とボトム面の渦巻き方向に沿う所定位置に、それぞれ段部を備えている。この段部を境に、ラップ先端面においては、軸線Ｌ方向に外周側の先端面が高く、内周側の先端面が低くされている。また、ボトム面においては、軸線Ｌ方向に外周側のボトム面が低く、内周側のボトム面が高くされている。これによって、渦巻き状ラップ２５Ｂ，２７Ｂは、その外周側におけるラップ高さが内周側のラップ高さよりも高くされている。
【００２８】
固定スクロール部材２５と旋回スクロール部材２７は、その中心を旋回半径分だけ離すとともに、渦巻き状ラップ２５Ｂ，２７Ｂの位相を１８０度ずらして噛合され、それぞれの渦巻き状ラップ２５Ｂ，２７Ｂの先端面とボトム面との間に常温で僅かなラップ高さ方向の隙間（数十〜数百ミクロン）を有するように組み付けられる。これにより、図１に示されるように、両スクロール部材２５，２７間には、端板２５Ａ，２７Ａと渦巻き状ラップ２５Ｂ，２７Ｂとにより限界される一対の圧縮室２９がスクロール中心に対して対称に形成されるとともに、旋回スクロール部材２７が固定スクロール部材２５の周りをスムーズに旋回できるようにされている。
【００２９】
また、圧縮室２９は、軸線Ｌ方向高さが渦巻き状ラップ２５Ｂ，２７Ｂの外周側において内周側の高さよりも高くされることにより、渦巻き状ラップ２５Ｂ，２７Ｂの周方向およびラップ高さ方向に圧縮ができる三次元圧縮が可能な圧縮機構２３を構成している。なお、固定および旋回スクロール部材２５，２７の渦巻き状ラップ２５Ｂ，２７Ｂの先端面には、相手方スクロール部材のボトム面との間に形成されるチップシール面をシールするためのチップシール部材５１，５２，５３，５４が、先端面に設けられた溝に嵌合されて設けられている。
【００３０】
固定スクロール部材２５は、リアハウジング７の内面にボルト３１により固定設置されている。一方、旋回スクロール部材２７は、端板２７Ａの背面に設けられているボス部２７Ｃに、上述のとおり、クランク軸１１の一端側に設けられているクランクピン１１Ｃがドライブブッシュ１９および旋回軸受２１を介して結合され、旋回駆動されるように構成されている。また、旋回スクロール部材２７は、フロントハウジング５に形成されているスラスト面５Ｂに端板２７Ａの背面が支持され、このスラスト面５Ｂと端板２７Ａの背面との間に設けられたピンリング式の自転阻止機構３３によって、自転が阻止されながら固定スクロール部材２５の周りを公転旋回駆動されるように構成されている。
【００３１】
固定スクロール部材２５の端板２５Ａ中央部には、圧縮された冷媒ガスを吐出する吐出ポート２５Ｋが開口され、該吐出ポート２５Ｋには、端板２５Ａにリテーナ３５を介して取り付けられる吐出リード弁３７が設けられている。さらに、固定スクロール部材２５の端板２５Ａの背面側には、リアハウジング７の内面に密接されるようにＯリング等のシール材３９が介装され、リアハウジング７との間でハウジング３の内部空間から区画される吐出チャンバー４１を形成している。これにより、吐出チャンバー４１を除くハウジング３の内部空間が、吸入チャンバー４３として機能するように構成されている。
【００３２】
吸入チャンバー４３には、フロントハウジング５に設けられている吸入口４５を介して冷凍サイクルから戻ってくる冷媒ガスが吸入され、この吸入チャンバー４３を経て圧縮室２９に冷媒ガスが吸い込まれるように構成されている。また、フロントハウジング５とリアハウジング７との間の接合面には、Ｏリング等のシール材４７が介装され、ハウジング３内に形成される吸入チャンバー４３を大気から気密にシールしている。
【００３３】
以下に、上述したクランク軸１１により旋回スクロール部材２７を旋回駆動する駆動部の構成について、図２ないし図４を参照して更に詳しく説明する。
クランク軸１１の大径軸部１１Ｂには、クランク軸１１の軸中心より所定寸法だけ偏心した位置に上記クランクピン１１Ｃが一体に設けられている。また、このクランクピン１１Ｃに嵌合されるドライブブッシュ１９には、ブッシュ中心より所定寸法だけ偏心した位置に偏心穴１９Ｂが設けられている。そして、この偏心穴１９Ｂがクランクピン１１Ｃに嵌合されることによって、ドライブブッシュ１９がクランクピン１１Ｃ周りに回動可能とされている。
【００３４】
ドライブブッシュ１９の外周には、旋回スクロール部材２７の端板背面に設けられているボス部２７Ｃが、旋回軸受（ニードル軸受）２１を介して回転自在に嵌合されるようになっている。これにより、上記のブッシュ中心とクランク軸中心との距離が、旋回スクロール部材２７の旋回半径となる構成とされている。この旋回半径は、ドライブブッシュ１９がクランクピン１１Ｃの周りに回動され、ブッシュ中心とクランク軸中心間の距離を変化させることによって可変されるように構成されている。
【００３５】
また、ドライブブッシュ１９と一体をなすバランスウェイト１９Ａと、クランク軸１１の大径軸部１１Ｂとの間には、バランスウェイト１９Ａ側に設けられた突起５５と、該突起５５が遊嵌される大径軸部１１Ｂ側に設けられた規制穴５７とによって構成され、ドライブブッシュ１９の回動範囲を規制する規制機構が設けられている。なお、ドライブブッシュ１９とバランスウェイト１９Ａは、鍛造成形または鋳造成形等によって一体に素材成形され、所要箇所を切削加工して仕上げ品とされたものであり、バランスウェイト１９Ａには、外周部に弧状の立ち上げ部１９Ｃが成形されている。
【００３６】
上記した旋回スクロール部材２７の旋回駆動部を含め、圧縮機内部の摺動箇所は、全て冷媒ガス中に溶解され、冷媒に伴われて冷凍サイクル中を循環されるミスト状の潤滑油によって潤滑される。つまり、吸入口４５を介して冷凍サイクル側から吸入チャンバー４３内に吸入された冷媒ガス中に含まれるミスト状潤滑油は、冷媒ガスと共に旋回スクロール部材２７の旋回駆動部、スラスト面５Ｂ、自転阻止機構３３、メイン軸受１３等の摺動箇所に回り、当該摺動箇所を潤滑するとともに、圧縮室２９内に吸い込まれ、固定スクロール部材２５と旋回スクロール部材２７との間の摺動部を潤滑し、シールする。
【００３７】
かかる潤滑箇所のうち、旋回スクロール部材２７の旋回駆動部を構成するクランクピン１１Ｃ、ドライブブッシュ１９、旋回軸受（ニードル軸受）２１等は、上述の如く、袋小路状のボス部２７Ｃ内に設けられているため、冷媒ガスが回り難く、従って、ミスト状潤滑油も給油され難い環境下に置かれている。このような給油環境を改善するため、本実施形態では、ドライブブッシュ１９の外周面に所定の幅および深さを有する給油用の溝５９を軸方向に沿って設けている。
【００３８】
この溝５９は、ドライブブッシュ１９の外周面上において、その回転方向Ｎに対向する側に設けられ、冷媒ガスおよびミスト状潤滑油が溝５９に取り込まれ易いように構成されている。また、ドライブブッシュ１９の外周面に溝５９を設けると、旋回軸受２１がニードル軸受とされている場合、ニードルが溝５９と干渉し、寿命、耐久性に悪影響を及ぼすことが懸念される。このため、本実施形態では、ドライブブッシュ１９の外周にリング状のフローティングブッシュ６１を嵌合し、ドライブブッシュ１９と旋回軸受（ニードル軸受）２１が直接嵌合されないようにしている。
【００３９】
また、上記の如くフローティングブッシュ６１を設けても、溝５９がフローティングブッシュ６１により覆われてしまわないように、溝５９をフローティングブッシュ６１の端面よりも軸方向に延長して設けている（図１参照）。さらに、溝５９は、ドライブブッシュ１９がバランスウェイト１９Ａと共に一体に鍛造成形または鋳造成形される際に、その成形素材に同時成形されるようにしている。また、該溝５９は、ドライブブッシュ１９と一体に成形されたバランスウェイト１９Ａの外周部に弧状に設けられる立ち上げ部１９Ｃの内周面に対向して設けられている。
【００４０】
さらに、メイン軸受１３を挟んで反圧縮機構収容部側の空間、すなわちメイン軸受１３とリップシール（またはメカニカルシール）１７との間の空間に冷媒およびミスト状潤滑油を導くために、クランク軸１１の大径軸部１１Ｂに貫通孔６３を設けている。この貫通孔６３は、大径軸部１１Ｂに設けられている規制穴５７の底部から軸方向に穿設され、途中から半径方向に曲げられて上記空間に開口された孔とされており、メイン軸受１３の両側空間を連通するように設けられている。
【００４１】
以上の説明の構成により、本実施形態によれば、以下の作用効果を奏する。
外部駆動源から図示省略のプーリーおよび電磁クラッチ等を介して回転駆動力をクランク軸（駆動軸）１１に伝達し、クランク軸１１を回転すると、クランク軸１１のクランクピン１１Ｃにドライブブッシュ１９および旋回軸受２１を介して連結されている旋回スクロール部材２７が、自転阻止機構３３により自転を阻止されながら、固定スクロール部材２５の周りに公転旋回駆動される。
【００４２】
この旋回スクロール部材２７の公転旋回駆動により、半径方向最外方に形成される圧縮室２９内に、吸入チャンバー４３内の冷媒ガスが吸い込まれる。圧縮室２９は、所定の旋回角位置で吸入締め切りされた後、その容積が周方向およびラップ高さ方向に減少されながら中心側へと移動される。この間に冷媒ガスは圧縮され、当該圧縮室２９が吐出ポート２５Ｋに連通する位置に達すると、吐出リード弁３７が押し開かれて圧縮されたガスは吐出チャンバー４１内に吐き出され、この高圧冷媒ガスは、吐出チャンバー４１を経て冷凍サイクルへと送出される。
【００４３】
上記の圧縮動作の間、吸入チャンバー４３内に吸入された冷媒ガス中に含まれるミスト状潤滑油は、冷媒ガスと共に吸入チャンバー４３内に配設されている旋回スクロール部材２７の旋回駆動部、スラスト面５Ｂ、自転阻止機構３３、メイン軸受１３等の摺動箇所に回り、当該摺動箇所を潤滑する。ここで、旋回スクロール部材２７の旋回駆動部が設けられている旋回スクロール部材２７のボス部２７Ｃ内には、旋回軸受（ニードル軸受）２１の軸受隙間だけでなく、ドライブブッシュ１９の外周面に設けられた給油用の溝５９からもミスト状潤滑油を含む冷媒ガスを導入することができる。
【００４４】
このため、ボス部２７Ｃ内へとガイドされるミスト状潤滑油の油量を増やし、より積極的な給油を実現することができる。従って、潤滑油の封入量を少なくしても効率のよい潤滑ができ、旋回駆動部の潤滑に対する信頼性、および旋回駆動部の耐久性を向上することができる。また、少ない量の潤滑油で効率よく潤滑できることから、潤滑油により阻害される冷凍サイクル側の熱交換器での熱交換効率を改善し、冷凍、空調能力を向上することができる。さらに、旋回駆動部の潤滑改善のために、ドライブブッシュ１９の外周面に溝５９を設けるだけでよく、その加工を容易化し生産性を高めることができる。
【００４５】
また、給油用の溝５９を、ドライブブッシュ１９の外周面の回転方向Ｎに対向する側に設け、この溝５９を介して冷媒ガスと共にミスト状潤滑油を積極的に取り込むようにしているため、ボス部２７Ｃ内へとガイドされるミスト状潤滑油の油量を一段と増加することができる。これにより、旋回スクロール部材２７の旋回駆動部の潤滑性能を高め、その信頼性、耐久性を向上することができる。
【００４６】
さらに、旋回軸受（ニードル軸受）２１とドライブブッシュ１９の外周面との間にフローティングブッシュ６１を介装しているので、旋回軸受２１にニードル軸受を用いた場合でも、溝５９とニードルとの干渉を回避することができる。このため、溝５９によりニードル軸受２１の寿命、耐久性が低下される懸念はなく、ドライブブッシュ１９の外周面に溝５９を設けてボス部２７Ｃ内へとミスト状潤滑油を導くことができる。従って、溝５９を介して積極的に給油し、旋回スクロール部材２７の旋回駆動部の潤滑性能を改善することができる。同時に、ドライブブッシュ１９の外周面とフローティングブッシュ６１の内周面との間への給油性を十分に確保することができる。
【００４７】
また、上記の如く、フローティングブッシュ６１を設けても、溝５９がフローティングブッシュ６１の端面よりも軸方向に延長されて設けられているため、溝５９がフローティングブッシュ６１によって覆われてしまうことがなく、該溝５９により確実にミスト状潤滑油をボス部２７Ｃ内へとガイドすることができる。従って、旋回スクロール部材２７の旋回駆動部の潤滑性能を高め、その信頼性、耐久性を向上することができる。
【００４８】
また、溝５９をドライブブッシュ１９に一体に設けられたバランスウェイト１９Ａの外周部に弧状に成形された立ち上げ部１９Ｃの内周面に対向して設けているため、バランスウェイト１９Ａの旋回により弧状の立ち上げ部１９Ｃの内周面に衝突してドライブブッシュ１９の外周面側に導かれるミスト状潤滑油を含む冷媒ガスを積極的に溝５９内に取り込むことができる。これによって、ボス部２７Ｃ内へとガイドされるミスト状潤滑油の量を増やし、旋回スクロール部材２７の旋回駆動部の潤滑性能を高めることができる。
【００４９】
さらに、上記溝５９は、ドライブブッシュ１９を鍛造成形あるいは鋳造成形する素材成型時に同時成形により設けているため、溝５９を設けるための追加加工を不要にすることができる。従って、ドライブブッシュ１９に給油用の溝５９を設けても、加工工数が増加することは一切なく、孔を穿設する場合等に比べて加工を容易化し生産性を高めることができる。
【００５０】
［第２実施形態］
次に、本発明の第２実施形態について説明する。
本実施形態は、上記した第１実施形態に対して、旋回軸受２１の構成が異なる。その他の点については、第１実施形態と同様であるので説明は省略する。
本実施形態では、旋回軸受２１として、ニードル軸受に代えて内輪を備えたボール軸受あるいはコロ軸受を採用した構成としている。この場合、フローティングブッシュ６１は省略することができる。
【００５１】
上記のように、旋回軸受２１として、内輪を備えたボール軸受、コロ軸受等を採用することにより、ドライブブッシュ１９の外周面に給油用の溝５９を設けても、溝５９の外側が軸受の内輪により覆われるだけで、溝５９とボール、コロ等が直接干渉することにはならない。従って、フローティングブッシュ６１を省略しても、軸受の寿命や耐久性が低下されるおそれはなく、部品数を削減して構成をより簡素化することができる。
【００５２】
なお、本発明は、上記実施形態にかかる発明に限定されるものではなく、その要旨を逸脱しない範囲において、適宜変形が可能である。例えば、上記実施形態では、クランク軸１１が外部に突出され、外部駆動源により駆動されるタイプのスクロール圧縮機について説明したが、ハウジング内にモータを内蔵したタイプのスクロール圧縮機にも同様に適用することができる。また、固定スクロール部材２５および旋回スクロール部材２７の渦巻き状ラップ２５Ｂ，２７Ｂの先端面とボトム面に段部を設けたスクロール圧縮機構２３について説明したが、段部が設けられていないスクロール圧縮機構であってもよい。
【００５３】
さらに、ドライブブッシュ１９とバランスウェイト１９Ａとは、必ずしも一体成形されたものである必要はなく、別体で構成されていてもよい。また、旋回スクロール部材２７の旋回半径を可変とする機構は、上記実施形態の如くドライブブッシュ１９を回動する方式（スイング方式）としたものに限らず、スライド方式としたものにも同様にできることはもちろんである。
【図面の簡単な説明】
【００５４】
【図１】本発明の第１実施形態に係るスクロール圧縮機の縦断面図である。
【図２】図１に示すスクロール圧縮機の旋回駆動部の断面図である。
【図３】図２に示す旋回駆動部を構成するドライブブッシュの平面図である。
【図４】図３に示すドライブブッシュの左側面図である。
【符号の説明】
【００５５】
１  スクロール圧縮機
３  ハウジング
１１  クランク軸
１１Ｃ  クランクピン
１９  ドライブブッシュ
１９Ａ  バランスウェイト
１９Ｃ  立ち上げ部
２１  旋回軸受（ニードル軸受）
２３  スクロール圧縮機構（圧縮機構）
２５  固定スクロール部材
２７  旋回スクロール部材
２７Ｃ  ボス部
２９  圧縮室
５９  給油用の溝（溝）
６１  フローティングブッシュ
【図１】
2010007566.tif 000003
【図２】
2010007566.tif 000004
【図３】
2010007566.tif 000005
【図４】
2010007566.tif 000006